(57)【特許請求の範囲】
【請求項１】
ロック状態を解除すると支柱がダンパーにより自動的に伸長すると共に、所定長さまで伸長したときに自動的にロックされるようにしたことと、支柱に対して転回自在に設けられた緩降機取り付けアームを、支柱の伸長に伴い緩降機取り付けアームの転回を阻止していた係止片が下方に引き張られて該アームが設けられている支柱部分に対して相対的に下方に移動することでロック状態が解除され、自動転回後に付勢された押圧部材が緩降機取り付けアームに設けられた孔に嵌まり込むことで自動的にロックされるようにしたこととを特徴とする緩降機取り付け装置。
【請求項２】
緩降機取り付けアームの転回に伴い緩降機を構成する身体支持ベルトが自動的に落下するようにしたことを特徴とする請求項１記載の緩降機取り付け装置。
【請求項３】
支柱を覆う箱体を取り外すと支柱のロック装置が解除されるようにしたことを特徴とする請求項１又は請求項２記載の緩降機取り付け装置。
【請求項４】
箱体を外すことで、支柱にヒンジを介して取り付けられると共に緩降機を内部に収納するタラップが、自動的に展開設置されるようにしたことを特徴とする請求項３記載の緩降機取り付け装置。
【発明の詳細な説明】
【技術分野】
【０００１】
本発明は火災時等に避難するために使用される緩降機を取り付けるための緩降機取り付け装置に関する。
【背景技術】
【０００２】
建造物には火災時に窓やベランダから避難するための緩降機が備えられている。この緩降機は通常畳まれた状態の緩降機取り付け装置と共に箱体内に格納されている。係る状態で格納されている緩降機は火災時に箱体を取り外し、取り付け装置の支柱を伸長し、取り付けアームを建造物外へ転回し、緩降機を取り出し当該緩降機を取り付けアームにカラビナで取り付けるという過程を経て使用可能になる。かような使用可能状態のもと、緩降機を構成する身体支持ベルトを使って避難者が降下避難していくのである。
【０００３】
ところが火災時の緊張状態のもと、説明書を見ながら緩降機取り付け装置を組立て、緩降機を使って避難していくというのは実際上困難なものである。
【０００４】
そこで取扱が簡単で迅速に避難できる緩降機が望まれ、係る課題を解決する発明として特開平１０−３３１５４９号公報記載の発明がある。
【特許文献１】特開平１０−３３１５４９号公報
【発明の開示】
【発明が解決しようとする課題】
【０００５】
上述の特開平１０−３３１５４９号公報記載の発明は、避難窓を開閉自在に設けると共にスプリングを介在させ、窓ロック状態を解除すれば自動的に収納部内の緩降機が建造物外に放出されるというものである。
【０００６】
この発明によれば容易に緩降機を建造物外に放出でき有用な発明といえる。
ただ窓枠に設け、しかも窓を開けると自動的に緩降機が放出されることから、当該窓が実際上避難専用となり、窓としての機能を果たさなくなってしまう。つまり予め非常口として設けられた窓に設置することを予定したものであり、既存の通常の窓やベランダに設置することはできないものである。
【０００７】
そこで本発明は取扱が簡単で、迅速に避難でき、しかも既存の通常の窓近辺やベランダに設置できる緩降機取り付け装置を提供することを目的とする。
【課題を解決するための手段】
【０００８】
上記課題を解決するために請求項１記載の緩降機取り付け装置は、ロック状態を解除すると支柱がダンパーにより自動的に伸長すると共に、所定長さまで伸長したときに自動的にロックされるようにした。また、支柱の伸長に伴い、緩降機取り付けアームの展開を阻止していた係止片を該アームが設けられている支柱部分に対して相対的に下方に移動させることで、支柱に対して転回自在に設けられた緩降機取り付けアームのロック状態が解除され、自動転回後に付勢された押圧部材が緩降機取り付けアームに設けられた孔に嵌まり込むことで自動的にロックされるようにした。
【０００９】
請求項２記載の緩降機取り付け装置は、請求項１記載の緩降機取り付け装置において、緩降機取り付けアームの展開に伴い緩降機を構成する身体支持ベルトが自動的に落下するようにした。
【００１０】
請求項３記載の緩降機取り付け装置は、請求項１又は請求項２記載の緩降機取り付け装置において箱体を取り外すと支柱のロック装置が解除されるようにした。
【００１１】
請求項４記載の緩降機取り付け装置は、請求項３記載の緩降機取り付け装置において、箱体を外すことで支柱にヒンジを介して取り付けられるとともに緩降機を内部に収納するタラップが自動的に展開設置されるようにした。
【発明の効果】
【００１２】
以下、かように構成される本発明が如何にして課題を解決する効果を有するかを述べる。
【００１３】
請求項１記載の緩降機取り付け装置によれば、支柱のロック状態を解除すれば支柱がダンパーにより自動的に伸長し、所定長さ、つまり緩降機取り付けアームが建造物外に出ることが可能な位置まで伸長した段階で自動的にロックされる。更に支柱の伸長に伴い緩降機取り付けアームが自動転回し、当該緩降機取り付けアームに取り付けられた緩降機が建造物外に放出された段階で自動的にロックされる仕組みになっている。
【００１４】
かように請求項１記載の緩降機取り付け装置は、支柱のロック状態を解除しさえすれば緩降機が建造物外に放出される段階まで自動的に行われるものである。つまり取扱が簡単で迅速に避難することが可能となるのである。
【００１５】
また、前述の特開平１０−３３１５４９号公報記載の発明のように窓の開閉と連動したものではないので、既存の通常の窓近辺やベランダに設置することが可能となるのである。
【００１６】
請求項２記載の緩降機取り付け装置は、請求項１記載の緩降機取り付け装置において、緩降機取り付けアームの展開に伴い緩降機を構成する身体支持ベルトが自動的に落下するようにした。つまり支柱のロック状態を解除しさえすれば、緩降機を構成する身体支持ベルトが建造物外に落下する段階まで自動的に行われるものである。すなわち、取扱が簡単で迅速に避難することが可能となるのである。
【００１７】
請求項３記載の緩降機取り付け装置では、請求項１又は請求項２記載の緩降機取り付け装置における支柱を覆う箱体を取り外すと、支柱のロック装置が自動的に解除されるように設けてある。つまり箱体を取り外しさえすれば緩降機が建造物外に放出される段階まで、又は緩降機を構成する身体支持ベルトが落下する段階まで、自動的に行われるものである。すなわち、更に取扱が簡単になり、且つ、迅速な避難が可能となるのである。
【００１８】
請求項４記載の緩降機取り付け装置では、箱体を外すことでタラップが自動的に展開設置されるようになっている。このタラップを昇って窓やベランダの外に出ることが可能となるものであり、避難が一層容易・迅速に行えるものである。 
【発明を実施するための最良の形態】
【００１９】
一、 実施形態１
以下、実施形態１につき図面を参照しながら述べる。
【００２０】
図１は本発明に係る緩降機取り付け装置の正面図であり、図２は同右側面図であり、図３は箱体で覆った状態の右側面図であり、図４は支柱を伸長しタラップを転回した状態の正面図であり、図５は同右側面図であり、図６は支柱のロック状態を模式的に示す図であり、図７は支柱を伸長した段階でロックした状態を模式的に示す図であり、図８は緩降機取り付けアーム転回前の段階でロックした状態を示す一部破断図であり、図９は緩降機取り付けアーム転回後の段階でロックした状態を示す一部破断図であり、図１０は緩降機取り付けアームの転回状態を上部から見た図であり、図１１はタラップのロック状態を示す要部拡大図であり、図１２は同要部拡大斜視図である。
【００２１】
支柱１０、支柱１１及び支柱１２はそれぞれ空洞の柱状体であり、図１乃至図７に示すように支柱１０内に支柱１１が収納され、支柱１１内に支柱１２が収納され得る形態に設けられている。
【００２２】
支柱１０と支柱１１には支柱外部にダンパー３０が介在させてあり、支柱１１と支柱１２には図６及び図７に示すように支柱の内部にダンパー３１が介在させてある。ダンパー３０により支柱１１が上方に伸長され、ダンパー３１により図７に示すように支柱１２が上方に伸長されるものである。
【００２３】
ここにダンパー３０及びダンパー３１はガスダンパーや油圧ダンパー等の伸長機能を有するものを使用している。
【００２４】
支柱１１及び支柱１２はロック部材４０によるロック状態を解除すると自動的に伸長する構造になっている。そして伸長後はロック部材４０及びロック部材４１により自動的にロックされ、伸長状態が維持される構造になっている。以下詳述する。
【００２５】
図６に示すようにロック部材４０を構成する押圧部材４０ａは押圧バネ４０ｂにより押圧力が与えられている。そして支柱１０、支柱１１及び支柱１２にそれぞれ設けられた孔１０ａ、孔１１ａ及び孔１２ａに押圧部材４０ａが嵌挿され、伸長前の収納段階の状態がロック維持されるのである。
【００２６】
他方で押圧部材４０ａと一体をなす把手部４０ｃを引張り、押圧部材４０ａの孔１１ａ及び孔１２ａに対する嵌挿状態を解除すると支柱１１及び支柱１２は上方に自動的に伸長するものである。なぜならダンパー３０により支柱１１は上方に伸長する力が与えられており、またダンパー３１により支柱１２は上方に伸長する力が与えられているからである。
【００２７】
支柱が伸長しロックした状態を示したものが図７である。押圧部材４０ａが支柱１１に設けられた孔１１ｂに嵌挿され伸長状態がロックされるものである。そしてこの伸長状態でのロックは自動的に行われるものである。すなわち支柱１１が上方に伸長していき、孔１１ｂが孔１０ａと重なる位置にきた時に、押圧バネ４０ｂにより押圧力が与えられている押圧部材４０ａが孔１１ｂに嵌まり込むのである。
【００２８】
同様に支柱１２の伸長状態はロック部材４１により自動的にロックされるものである。すなわちロック部材４１を構成する押圧部材４１ａは、押圧バネ４１ｂにより押圧力を与えられている。そして支柱１２がダンパー３１により上方に伸長されていき、支柱に設けられた孔１２ａが支柱１１に設けられた孔１１ｃと重なる位置にきた時に、押圧バネ４１ｂにより押圧力が与えられている押圧部材４１ａが孔１２ａに嵌まり込むのである。
かように伸長状態でロックされた支柱を元の状態に戻すのは以下の手順による。
【００２９】
まず押圧部材４１ａと一体に形成される把手部４１ｃを引張り、押圧部材４１ａによる支柱１２のロック状態を解除する。そして支柱１２を押し下げ、次いでロック部材４０の把手部４０ｃを引張り押圧部材４０ａによる支柱１１のロック状態を解除する。
【００３０】
すると支柱１２を押し下げることで支柱１１も押し下げられていき、孔１０ａ、孔１１ａ及び孔１２ａが重なった段階で押圧部材４０ａが押圧力により自動的に孔１０ａ、孔１１ａ及び孔１２ａに嵌まり込むのである。つまり伸長前の収納段階の状態でロックされるのである。
【００３１】
尚、孔１０ａ、孔１１ａ及び孔１２ａの位置関係はダンパー３０及びダンパー３１が最も縮まった段階で重なるように設ければよい。
本発明に係る緩降機取り付け装置では、緩降機取り付けアームも支柱の伸長に伴い自動的にロック状態が解除され、自動転回後に自動的にロックされるように構成されている。以下詳述する。
【００３２】
図８は緩降機取り付けアーム転回前の段階でロックした状態を示している。支柱１２の上面に設けられた緩降機取り付けアーム５０は、支柱１２に取り付けられた軸５１を中心に転回するよう取り付けられている。そして緩降機取り付けアーム５０と支柱１２に設けられた壁部１２ｃとの間にはバネ６０が介在させてある。このバネ６０と緩降機取り付けアーム５０及び壁部１２ｃとは固定されており、緩降機取り付けアーム５０はバネ６０により転回する力、図１０でいえば左回りに回転する力が与えられている。
【００３３】
緩降機取り付けアーム５０の転回前のロック状態はロック部材４２により維持される。すなわちロック部材４２は押圧バネ４２ｂにより上方に押圧力が与えられており、この押圧力により係止片４２ａが支柱１２上面に突出した状態で維持される。そしてこの係止片４２ａにより緩降機取り付けアーム５０の転回が阻止されているのである。
【００３４】
そして、この係止片４２ａは紐４２ｃとつながっており、この紐４２ｃは図２や図５に示すように下方に存する支柱１０と連結されている。支柱１１及び支柱１２の上方への伸長に伴い紐４２ｃが下方に引き張られ、それに伴い係止片４２ａも該アームが設けられている支柱部分に対して相対的に下方に移動することでロック状態が解除されるのである（図９参照）。
【００３５】
尚、紐４２ｃの下端は必ずしも支柱１０と連結されている必要があるわけではなく、支柱の伸長に伴い係止片４２ａを下方に引き下げる力を与えることができる任意位置であればよい。
【００３６】
緩降機取り付けアーム５０は転回後自動的にロックされる構造となっている。図９は係る転回後のロック状態を示している。転回後のロックはロック部材４３により行われる。ロック部材４３を構成する押圧部材４３ａは、押圧バネ４３ｂにより押圧力が与えられている。そして緩降機取り付けアーム５０が転回し、当該緩降機取り付けアーム５０に設けられた孔５０ａと押圧部材４３ａとが重なった時に、押圧力により押圧部材４３ａが孔５０ａに嵌挿されるのである。これにより転回状態がロックされるのである。孔５０ａは緩降機取り付けアーム５０が収納状態から略９０度転回した状態で押圧部材４３ａと重なる位置に設けてある。かようにして支柱の伸長に伴い自動的に転回しロックされるのである。
【００３７】
尚、転回後のロック状態を解除するには押圧部材４３ａと一体に形成される把手部４３ｃを引張り孔５０ａに対する嵌挿状態を解除し、緩降機取り付けアーム５０を元の状態、図１０でいえば右回りに回転させるものである。係る状態のもと支柱を下方に押し下げればロック部材４２を構成する係止片４２ａが押圧バネ４２ｂにより突出し、転回前の状態でロックされるのである。
【００３８】
尚、緩降機取り付けアーム５０の先端付近には環部５２が設けられている。この環部５２に緩降機を取り付け使用するものである。
【００３９】
本発明では避難をより容易にするために自動転回されるタラップ７０が併設することが好ましい。タラップ７０は図１や図４に示すように一対の板状体７１を壁面８０に固定した状態で設置される。板状体７１は壁面８０に固定される固着面７１ａと、当該固着面７１ａから垂直に立ち上がった踏み台取り付け面７１ｂとで構成される。
【００４０】
踏み台７２及び踏み台７３は、踏み台取り付け面７１ｂに対して回動自在に設けてある。
【００４１】
踏み台７２、踏み台７３と踏み台取り付け面７１ｂとの間には、それぞれリンク部材７４、リンク部材７５が介在させてある。図３に示すようにリンク部材７４の端部は屈曲され係止部７４ａが形成され、リンク部材７５の端部は屈曲され係止部７５ａが形成してある。この係止部７４ａ及び係止部７５ａは踏み台取り付け面７１ｂに設けられた長孔７１ｃに緩挿され上下に摺動するよう設けられている。またリンク部材７４と踏み台７２、リンク部材７５と踏み台７３はそれぞれ回動可能に設けられていることから、踏み台７２、踏み台７３の回動に伴い係止部７４ａ、係止部７５ａは長孔７１ｃ内を上下に摺動することになる。そして踏み台７２と踏み台７３とはリンク部材７６により連結されていることから両者の回動は連動することになる。
【００４２】
かように構成される本発明に付属するタラップは、ロック状態を解除すると自動的に展開されるよう構成されている。以下詳述する。
【００４３】
図１１及び図１２はタラップのロック状態を示している。長孔７１ｃの上端付近の踏み台取り付け面７１ｂに設けられた、一対の突起部７１ｄ・７１ｄには円孔７１ｅ・７１ｅが設けられている。そして当該両円孔７１ｅ・７１ｅにわたりピン７７を緩挿し、タラップを畳んだ状態をロックするものである。
【００４４】
すなわち踏み台７３を回動させ畳んだ状態にもっていくと、係止部７５ａは長孔７１ｃ内を上方に摺動する。係る状態の元ピン７７を円孔７１ｅ・７１ｅにわたり緩挿することで係止片７５ａが下方に摺動することを防止し、もって踏み台７３が畳まれた状態を維持ロックするのである。
【００４５】
そして踏み台７２と踏み台７３とはリンク部材７６によりリンクされていることから、踏み台７３を畳んだ状態でロックすると、同時に踏み台７２も畳んだ状態でロックされることになるのである。
【００４６】
かようなロック状態を解除するにはピン７７を円孔７１ｅから引き抜くことによる。ピン７７を引き抜くと踏み台７２及び踏み台７３の自重や、踏み台７３の下方に設けられ踏み台７３に対して下方に引張る力を与えている引張バネ７８により、踏み台７２及び踏み台７３は回動展開するのである。
【００４７】
そしてピン７７に結ばれた紐７９と、本発明に係る緩降機取り付け装置を覆う箱体９０（図２において一点鎖線により表している）とは連結されていることから、避難時に箱体９０を取り外すと紐７９が引張られ自動的にピン７７が抜け踏み台が自動的に展開されるのである。つまりタラップを自動的に展開設置することが可能となるのである。但しこの箱体９０は請求項３、４を構成するものではない。
【００４８】
尚、上述の説明では踏み台を二段設けているがむろん係る限定を受けるものではなく、踏み越えていく壁面の高さに応じた段数を設けることが好ましい。
また箱体９０と緩降機取り付け装置におけるロック部材４０の把手部４０ｃとは紐４０ｄにより連結されている。それゆえ避難時に箱体９０を取り外すことで紐４０ｄが引張られ、これに伴い把手部４０ｃが引張られ、支柱のロック状態が解除されるものである。つまり支柱が自動的に伸長されるのである。
【００４９】
二、 実施形態２
以下、実施形態２につき実施形態１との相違点を中心に図面を参照しながら述べる。
図１３は本発明にかかる緩降機取り付け装置の一部破断正面図であり、図１４は支柱を伸長しタラップを展開した状態の正面図であり、図１５ａは転回前の緩降機取り付けアーム付近の要部説明図であり、図１５ｂは転回後の緩降機取り付けアーム付近の要部説明図であり、図１６はタラップ付近の要部説明図であり、図１７ａは係止部材による係止状態を示す正面図であり、図１７ｂは同右側面図 であり、図１７ｃは係止状態を解放した状態を示す右側面図であり、図１８は棒体とチェーンの関係を模式的に示す図である。
【００５０】
支柱１００、支柱１０１及び支柱１０２はそれぞれ空洞の柱状体であり、図１３及び図１４に示すように支柱１００内に支柱１０１が収納され、支柱１０１内に支柱１０２が収納され得る形態に設けられている。実施形態１と異なる点は支柱１０２を伸長させるダンパー１０４のみならず、支柱１０１を伸長させるダンパー１０３も、支柱１００外壁面ではなく支柱１００内部に設けられていることである。ダンパー１０３、ダンパー１０４は、ガスダンパーや油圧ダンパー等の伸長機能を有するものを使用している。
【００５１】
実施形態２における収納時のロック状態及び伸長時のロック状態は、実施形態１の場合と若干異なる。すなわち、収納時のロック状態は支柱１０２の上端面に設けられたシャフトベース１０７に取り付けられた係止棒１０８を、支柱１００に設けられた係止部材１０９に係止することで維持されるものである。
【００５２】
ここに支柱１００の側壁に取り付けられた係止部材１０９は、図１７に示すように固定板１０９ａ、可動板１０９ｂ、回動軸１０９ｃ及び押圧バネ１０９ｄより成るものである。図１７ｂに示すように可動板１０９ｂの凹部に係止棒１０８が嵌まり込むことで、図１３に示す収納状態がロックされるものである。ここに可動板１０９ｂは、回動軸１０９ｃを緩挿した押圧バネ１０９ｄにより、図中回動軸１０９ｃを中心に時計回りの方向に押圧力が付与されている。
【００５３】
収納ロック状態を解除する際にはかかる押圧力に抗して回動板１０９ｂを回動させる。すると係止棒１０８に対する係止部材１０９による係止状態が解放され、支柱１０１、支柱１０２がダンパーにより伸長するものである。
【００５４】
可動板１０９ｂの回動は、支柱を覆う箱体１１０を取り外すことで行われるものである。ここに箱体１１０は図１３、図１４において一点鎖線で示されるものである。箱体１１０を外すと当該箱体１１０とチェーン１１１を介して連結されている回動板１０９ｂが、回動軸１０９ｃを中心に回動するものである。すなわちこれにより収納ロック状態が解除されるものである。
【００５５】
支柱を収納した状態におけるロック方法と異なり、支柱を伸長した状態におけるロック方法は実施形態１と同様である。すなわちロック部材１０５、ロック部材１０６は実施形態１の場合と同様に押圧部材と押圧バネ等で構成される。そして支柱が伸長した状態で、ロック部材１０５を構成する押圧部材は支柱１０１に設けられた孔に嵌まり込み、同じくロック部材１０６を構成する押圧部材は、支柱１０２に設けられた孔に嵌まり込むことで、それぞれ伸長状態がロックされるのである。
【００５６】
実施形態２においても実施形態１と同様に、緩降機取り付けアーム１１２が支柱の伸長に伴い自動的にロック状態が解除され、自動転回後に自動的にロックされるように構成されている。そして自動的にロック状態が解除され、又自動的にロックされる方法・部材は実施形態１の場合と同様である。すなわち図１３や図１４に示されるように支柱１０１及び支柱１０２の上方へ伸長に伴い紐４２ｃが下方に引き張られ、それに伴い係止片４２ａも該アームが設けられている支柱部分に対して相対的に下方に移動することでロック状態が解除されるのである。但し、緩降機取り付けアーム１１２が自動転回される方法・部材は実施形態１の場合とは異なるものである。以下、この相違点について述べる。
【００５７】
図１５ａは転回前の緩降機取り付けアーム１１２付近の要部を示すものである。シャフトベース１０７と緩降機取り付けアーム１１２との間には、引張バネ１１３が介在させてある。この引張バネ１１３により緩降機取り付けアーム１１２には、図１５でいえば反時計回りに回転する力が付与されている。故にロック状態が解除されれば、つまり支柱の伸長に伴い、緩降機取り付けアーム１１２が自動転回するのである。
【００５８】
実施形態２において請求項４記載のタラップ１１４は、図１６に示すように内部が空洞の箱体である。この空洞部に図１３に示すように収納時の緩降機１１５が収納されるものである。このタラップ１１４は支柱の伸長時に自動展開されるものである。自動転回される方法は以下の通りである。
【００５９】
支柱１００の外側壁に設けられた鍔部１００ａと、タラップ１１４とはヒンジ１１６で連結されており、タラップ１１４は自重で図１３でいえば時計回り方向に回転して展開することが可能である。但し収納時においては緩降機取り付けアーム１１２に取り付けられた板材１１７が空洞部内に挿入され、タラップ１１４の内壁面と接触支持することで展開が抑止されている。
【００６０】
ところが支柱の伸長に伴い板材１１７がタラップ１１４の空洞部外に出ることで、板材１１７によるタラップ１１４に対する展開抑止力がなくなり、タラップ１１４は自重で自動展開するのである。この際急激に展開すると付近にいる者に危害及んだり、あるいは装置や床面が破損するおそれがある。そこでダンパー１１８を介在させて緩やかに展開するように設けてある。ここにダンパー１１８は、図１３でいえばタラップ１１４の背面側と支柱１００の背面側にわたり取り付けられている。ダンパー１１８はガスダンパーや油圧ダンパー等の伸長機能を有するものを使用している。
【００６１】
以上のようにタラップ１１４は支柱の伸長に伴い自動展開し、図１６における側面１１４ａが踏み台面となるのである。つまり側面１１４ａを踏み台として建造物外に避難降下していくことが可能となるのである。
【００６２】
実施形態２においては緩降機を構成する身体支持ベルトが緩降機取り付けアーム１１２の転回に伴い自動的に落下するように構成されている。以下詳述する。 緩降機１１５は緩降機取り付けアーム１１２の先端付近に設けられた環部材１１９に掛架されている。そして収納時においてはタラップ１１４内に収納されている。
【００６３】
緩降機１１５は、両端に身体支持ベルト１１５ａを有するワイヤー１１５ｂを構成要素とするものであり、一方端側の身体支持ベルト１１５ａはワイヤー１１５ｂと共に、リール１１５ｃに巻き付けられている。そしてリール１１５ｃは、その孔部１１５ｄにチェーン１２０を緩挿することで、緩降機取り付けアーム１１２に掛架されている。
【００６４】
ここにチェーン１２０の一方端は緩降機取り付けアーム１１２に固着されているが、他方端は棒体１２１で支持されている。
【００６５】
棒体１２１によるチェーン１２０の支持方法は、チェーン１２０を構成する環体１２０ａの孔部１２０ｂに、棒体１２１を緩挿するというものである。図１８はその様子を模式的に示したものである。そして棒体１２１が後退することで孔部１２０ｂから棒体１２１が抜け、つまりはチェーン１２０が棒体１２１により支持される状態が解放されるのである。これによりリール１１５ｃの孔部１１５ｄからチェーン１２０が抜け、身体支持ベルト１１５ａ等が巻き付けられたリール１１５ｃが建造物外に落下していくのである。
【００６６】
そしてこの一連の動作は、緩降機取り付けアーム１１２の転回に伴って行われるのである。すなわち、支柱の伸長に伴い緩降機取り付けアーム１１２は自動転回する。この際、棒体１２１の一方端は図１５に示すようにシャフトベース１０７の中心位置からずれた位置に取りつけられていることから、棒体１２１の他方端を支持する板体１２１ａとシャフトベース１０７上の棒体取り付け位置との距離は、緩降機取り付けアーム１１２の転回に伴い変化することになる。つまりＬ１よりＬ２の方が長くなるのである。
【００６７】
かかる位置関係にあることから、板体１２１ａの場所から見ると棒体１２１はシャフトベース１０７方向に後退することになる。かかる動作によりチェーン１２０から棒体１２１が抜けることになるのである。すなわち緩降機取り付けアーム１１２が転回し、緩降機取り付けアーム１１２の先端付近が建造物外にでると、リール１１５ｃが建造物外に落下することになるのである。つまり緩降機が使用可能な状態にセッティングされることになるのである。
【図面の簡単な説明】
【００６８】
【図１】本発明に係る緩降機取り付け装置の正面図。
【図２】同右側面図。
【図３】箱体で覆った状態の右側面図。
【図４】支柱を伸長しタラップを転回した状態の正面図。
【図５】同右側面図。
【図６】支柱のロック状態を模式的に示す図。
【図７】支柱を伸長した段階でロックした状態を模式的に示す図。
【図８】緩降機取り付けアーム転回前の段階でロックした状態を示す一部破断図。
【図９】緩降機取り付けアーム転回後の段階でロックした状態を示す一部破断図。
【図１０】緩降機取り付けアームの転回状態を上部から見た図。
【図１１】タラップのロック状態を示す要部拡大図。
【図１２】同要部拡大斜視図。
【図１３】本発明にかかる緩降機取り付け装置の一部破断正面図。
【図１４】支柱を伸長したタラップを展開した状態の正面図。
【図１５】ａ 転回前の緩降機取り付けアーム付近の要部説明図。 ｂ 転回後の緩降機取り付けアーム付近の要部説明図。
【図１６】タラップ付近の要部説明図。
【図１７】ａ 係止部材による係止状態を示す正面図。 ｂ 同右側面図。 ｃ 係止状態を解放した状態を示す右側面図。
【図１８】棒体とチェーンの関係を模式的に示す図。
【符号の説明】
【００６９】
１０、１１、１２・・支柱 ３０、３１・・ダンパー
５０・・緩降機取り付けアーム ７０・・タラップ
９０・・箱体
１００、１０１、１０２・・支柱 １０３、１０４・・ダンパー
１１２・・緩降機取り付けアーム １１４、１２２・・タラップ
１１０・・箱体
--------------------------------------------------------------------------------
【図１】
0003947792.tif 000002
【図２】
0003947792.tif 000003
【図３】
0003947792.tif 000004
【図４】
0003947792.tif 000005
【図５】
0003947792.tif 000006
【図６】
0003947792.tif 000007
【図７】
0003947792.tif 000008
【図８】
0003947792.tif 000009
【図９】
0003947792.tif 000010
【図１０】
0003947792.tif 000011
【図１１】
0003947792.tif 000012
【図１２】
0003947792.tif 000013
【図１３】
0003947792.tif 000014
【図１４】
0003947792.tif 000015
【図１５】
0003947792.tif 000016
【図１６】
0003947792.tif 000017
【図１７】
0003947792.tif 000018
【図１８】
0003947792.tif 000019